(57)【特許請求の範囲】
【請求項１】
つぎの事項（１）〜（11）により特定されるスクロール表示装置。
（１）スクリーンと、中央制御装置を備えたスクロール表示装置であること
（２）スクリーンは、複数の棒状表示器の配列によって形成されること
（３）棒状表示器の配列間隔は、スクリーンの大部分において標準間隔に設定され、局所においては標準間隔と異なること
（４）棒状表示器は、複数の発光セルの配列と、各発光セルを個別に発光駆動するドライブ回路を備えること
（５）中央制御装置は、画像メモリと、転送手段と、記憶手段と、制御手段を備えること
（６）画像メモリは、ビットマップ画像データを格納すること
（７）転送手段は、制御手段が画像メモリから順次抽出する列データを各棒状表示器に順次分配して各ドライブ回路に供給すること
（８）記憶手段は、棒状表示器の標準間隔に対応して設定された標準値と、当該標準間隔と異なる配置をされた非標準棒状表示器の識別子に対応付けした補正値を格納すること
（９）制御手段は、第１処理と第２処理を順次繰り返し行うこと
（10）第１処理は、非標準棒状表示器に対しては補正値に基づく列データ抽出間隔とし、それ以外の棒状表示器に対しては標準値に基づく列データ抽出間隔として、画像メモリ上のビットマップ画像データから各棒状表示器に分配する列データを飛び飛びに選択抽出して転送手段に出力すること
（11）第２処理は、ビットマップ画像データから飛び飛びに選択抽出する列データの位置を１列分ずらすこと
【請求項２】
中央制御装置は、操作入力手段を備え、
制御手段は、操作入力手段からの入力情報に従い、非標準棒状表示器の識別子と補正値を対応付けして記憶手段に格納する
請求項１に記載のスクロール表示装置。
【発明の詳細な説明】
【０００１】
【発明の属する技術分野】
この発明は、高輝度ＬＥＤ（発光ダイオード）などの発光セルを２次元的に配列した発光セルアレイに文字や図形をスクロール表示する方法および装置に関する。
【０００２】
【従来の技術】
ＬＥＤなどの発光セルを一定間隔で縦横に配列したドットマトリクス型の表示パネルが一般に広く普及している。電車内の案内表示や商店の広告表示に使用されている簡便なＬＥＤ表示パネルでは、限られたサイズの表示パネルに主として文字列をスクロール表示している。例えば１６×１６ドットで１文字を構成するビットマップ形式の文字列データを順次生成し、例えば縦は１６ドットで横は少なくとも１６の数倍以上のドット数のドットマトリクス型表示パネルにスクロール表示する。
【０００３】
【発明が解決しようとする課題】
例えば、前記のように横長のドットマトリクス型表示パネルに文字列を横方向に移動表示（スクロール表示）するものにおいて、一度に表示可能な文字数を増やすには、当然ながら表示パネルの横方向のドット数を増やさなければならない。したがって、このような単純な表示パネルの拡大でも相当のコスト増加を伴う。
【０００４】
また大サイズの表示を行うべく、縦横に配列した発光セルの間隔を大きくして表示パネルの寸法を拡大したのでは、表示画像が非常に粗くなり、表示品質が著しく低下する。そこで、発光セルの間隔をそれほど増やさずに、発光セルの数を増やすことで表示パネルの寸法を拡大する。一方、３２×３２ドットで１文字を構成するなど、表示データの精細度を高くする。こうすることで、大サイズで高品質な表示を行える。しかし、これには著しいコスト増加を覚悟しなければならない。
【０００５】
また従来のドットマトリクス型表示パネルは、その寸法の大小にかかわらず、多数の発光セルを基板に実装してドライブ回路とともに偏平なパネル型ケースに収まっている。当然ながら、その表示パネルは剛体であり、自由に折り畳んだり（数分割程度は可能かもしれない）、小さく分解したり、縮めたり伸ばしたりするフレキシブルなものではない。ごく小型の表示パネルは全体を持ち運ぶことは容易であるが（商店の広告用表示パネルには可搬型のものもある）、この種の表示パネルの多くは所定の場所に固定的に設置されている。この装置形態が用途拡大のネックになっている面がある。
【０００６】
この発明は前述した従来の問題点に鑑みなされたもので、具体的にはつぎのような目的を達成することにある。
【０００７】
（ａ）少ない数の発光セルにより大サイズで精細な画像を表示できるスクロール表示方法および装置を提供する。
【０００８】
（ｂ）表示サイズより少し大きな寸法の剛体の表示パネルという装置形態ではなくて、多数の棒状表示器を適当な間隔で並べるというフレキシブルな装置形態で大サイズの表示画面を実現できるスクロール表示方法および装置を提供する。
【０００９】
（ｃ）さまざまな状況の現場に多数の棒状表示器を設置してこの発明を実施するに際し、各棒状表示器の間隔が必ずしも一定でなくても、表示される画像を歪ませることなく、画面全体にわたって正しい縦横比の画像を表示できるようにしたスクロール表示方法および装置を提供する。
【００１０】
【課題を解決するための手段】
この発明に係るスクロール表示装置は、つぎの事項（１）〜（11）により特定されるものである。
（１）スクリーンと、中央制御装置を備えたスクロール表示装置であること
（２）スクリーンは、複数の棒状表示器の配列によって形成されること
（３）棒状表示器の配列間隔は、スクリーンの大部分において標準間隔に設定され、局所においては標準間隔と異なること
（４）棒状表示器は、複数の発光セルの配列と、各発光セルを個別に発光駆動するドライブ回路を備えること
（５）中央制御装置は、画像メモリと、転送手段と、記憶手段と、制御手段を備えること
（６）画像メモリは、ビットマップ画像データを格納すること
（７）転送手段は、制御手段が画像メモリから順次抽出する列データを各棒状表示器に順次分配して各ドライブ回路に供給すること
（８）記憶手段は、棒状表示器の標準間隔に対応して設定された標準値と、当該標準間隔と異なる配置をされた非標準棒状表示器の識別子に対応付けした補正値を格納すること
（９）制御手段は、第１処理と第２処理を順次繰り返し行うこと
（10）第１処理は、非標準棒状表示器に対しては補正値に基づく列データ抽出間隔とし、それ以外の棒状表示器に対しては標準値に基づく列データ抽出間隔として、画像メモリ上のビットマップ画像データから各棒状表示器に分配する列データを飛び飛びに選択抽出して転送手段に出力すること
（11）第２処理は、ビットマップ画像データから飛び飛びに選択抽出する列データの位置を１列分ずらすこと
【００１１】
上記のように構成されたスクロール表示装置において、望ましくは、中央制御装置に操作入力手段を設け、制御手段は、操作入力手段からの入力情報に従い、非標準棒状表示器の識別子と補正値を対応付けして記憶手段に格納する処理を可能とする。
【００２５】
【発明の実施の形態】
＝＝＝＝スクロール表示の基本的形態と表示原理＝＝＝＝
図１に示すように、ｍ＝１６個の発光セルＣを密な間隔で直線状に配列した棒状表示器Ｂｉをｎ＝１０本設け、これら棒状表示器Ｂ１〜Ｂ１０を適宜な間隔でほぼ平行に配列し、この配列により３２本の棒状表示器Ｂ１〜Ｂ１０が帯状に連なって１列が１６ドットで１行が１０ドットの物理的画面を形成する。１０本の棒状表示器Ｂ１〜Ｂ１０の配列間隔は十分に粗であり、その平均的な間隔は１本の棒状表示器Ｂｉにおける発光セルＣの間隔の約６倍である。
【００２６】
前記の１列が１６ドットで１行が１０ドットの物理的画面を、図２に示すように、１列がｍ＝１６ドットで１行がｗ＝５５ドットの画素構成の仮想的画面とみなし、その仮想的画面にそのドット密度で画像を表示するつもりでビットマップ形式の画像データを作成しておく。この例では、ｗはｎの５．５倍である。そして、この仮想的画面の中に前記の物理的画面を構成している１０本の棒状表示器Ｂ１〜Ｂ１０が平均的にはほぼ均一に分散配列されている。
【００２７】
図３に示すように、１列が１６ドットで１行が５５ドットのビットマップ画像データ（“ＡＶＩＸ”という文字列の画像）を前記仮想的画面に展開して表示すると仮定したとき、実際には５５列分の画像データの中から飛び飛びに選択した１０列分の画像データを１０本の棒状表示器Ｂ１〜Ｂ１０に分配して、各列１６ドットのデータに従って各棒状表示器Ｂｉにおける１６個の発光セルＣを制御駆動する。
【００２８】
５５列分の画像データの中から１０列分の画像データを飛び飛びに選択して１０本の棒状表示器Ｂ１〜Ｂ１０に分配する制御において、飛び飛び選択の列間隔は、前記仮想的画面に分散配列されている各棒状表示器Ｂ１〜Ｂ１０の配列間隔に対応して任意に設定可能な飛び飛び制御変数により決まる。
【００２９】
前記仮想的画面に展開するビットマップ画像データを行方向に移動させながら、前記のように飛び飛び選択した画像データに従って各棒状表示器Ｂ１〜Ｂ１０の各発光セルＣを制御駆動するデータ処理を繰り返すことで、例えば図４に示すように、前記仮想的画面を観察する人の残像効果により１列が１６ドットで１行が５５ドットの密度のスクロールする画像を視認させる。
【００３０】
＝＝＝＝スクロール表示装置の具体的な構成と動作＝＝＝＝
図１〜図３の説明に対応したスクロール表示装置の回路構成を図５に示している。前述したように、１６個の発光セルＣを直線状に配列した各棒状表示器Ｂｉには、１６ビットのドライブ回路ＤＳｉが付帯している。ドライブ回路ＤＳｉは、１６ビットのシフトレジスタ６と、１６ビットのラッチ回路７と、１６ビットのドライバ８を一体化したものである。合計ｎ＝１０個のドライブ回路ＤＳｉの各シフトレジスタ６が直列接続されており、全体で（１６×１０）ビットのシフトレジスタが構成されている。
【００３１】
中央制御装置２の画像メモリ３には、縦１６ビットで横は自由な大きさのビットマップ形式の画像データが格納されている。その画像データの各縦列の１６ビットのデータを列データと称し、各列データに順番にＤ１、Ｄ２、Ｄ３、…という番号をつける（一般項をＤｊと表記する）。また、画像メモリ３は１語１６ビットの構成で、アドレスｊに列データＤｊが格納されているものとする。
【００３２】
中央制御装置２のプロセッサ４が以下のようにして画像メモリ３をリードアクセスする。画像メモリ３から１６ビット並列に読み出される列データＤｊは並列／直列変換用のシフトレジスタ５を介して直列になり、前述のようにｎ個の１６ビットシフトレジスタ６が直列になった（１６×１０）ビットシフトレジスタに入力される。この（１６×１０）ビットシフトレジスタに中央制御装置２から１０列分の列データを直列入力することで、１０個の１６ビットシフトレジスタ６にそれぞれ１６ビットの列データを与えたことになる。この時点で中央制御装置２から各ドライブ回路ＤＳｉにラッチ信号を与え、シフトレジスタ６のデータをラッチ回路７に移し、そのデータによりドライバ８で各発光セルＣを駆動する。同時に各シフトレジスタ６のデータを更新する。以上の動作を繰り返すことでスクロール表示が行われる。
【００３３】
つまり、図５に示すスクロール表示装置は、ビットマップ形式で作成されて画像メモリ３に格納されている全体の画像データの中からつぎに表示しようとする１フレームのｗ＝５５列分の画像データをフレームアドレスに従って特定するとともに、その１フレームの５５列分の画像データの中からｎ＝１０列分の画像データを飛び飛びに選択して１０本の棒状表示器Ｂ１〜Ｂ１０に分配するデータ分配手段と、各棒状表示器Ｂｉにおいて前記データ分配手段から渡された１列分ｍ＝１６ドットの画像データに従って１６個の発光セルＣを所定のタイミングで制御駆動する発光駆動手段と、前記フレームアドレスを順番に更新することで前記全体の画像データの中から特定されるフレームをスクロール方向に順番にシフトするフレームシフト手段とを備える。
【００３４】
＝＝＝＝各棒状表示器Ｂｉの配列間隔とデータ分配制御＝＝＝＝
前記データ分配手段の中枢であるプロセッサ４は、前記飛び飛び制御変数として、各棒状表示器Ｂ１〜Ｂ１０の標準的な配列間隔に対応して設定された標準値「６」を記憶する手段と、その標準的な配列間隔からずれて配置した特定の棒状表示器Ｂ８について設定された補正値「＋２」を記憶する手段とを有し、これらの設定内容「標準値：６」「補正値：Ｂ８＝＋２」とに基づいて各棒状表示器Ｂ１〜Ｂ１０にそれぞれ分配する１列分の画像データを以下のように選択抽出する。
【００３５】
前述の物理的画面と仮想的画面の関係を示す図２において、８番目の棒状表示器Ｂ８を除いて、他のすべての棒状表示器は、仮想的画面において６ドット間隔で配列されている。特定の棒状表示器Ｂ８は、６ドット間隔という標準配列位置に対して右に２ドット分だけずれて配置されている。つまり、棒状表示器Ｂ８とＢ１９の間隔は標準値「６」より２ドット分大きくて８ドット分となっている。また、棒状表示器Ｂ８とＢ２１の間隔は標準値「６」より２ドット分小さくて４ドット分となっている。このことが、前述した飛び飛び制御変数についての「標準値：６」「補正値：Ｂ８＝＋２」という設定内容である。
【００３６】
プロセッサ４による前記データ分配手段としての制御手順を図６のフローチャートに示している。この動作例では、飛び飛び制御変数として前記の内容が設定されているものとする。
【００３７】
最初のステップ６０１ではフレームアドレスｆの値を１にし、つぎのステップ６０２ではアドレスポインタｊにフレームアドレスｆの値を移す（この説明の段階ではｊ＝Ｐ＝１となる）。また、ステップ６０３で表示器カウンタｉの値をを１にする。つぎのステップ６０４で、アドレスポインタｊが示すアドレスｊで画像メモリ３をリードアクセスし、読み出した列データＤｊを前記のように直列にして転送する。ここまでの説明では、列データＤ１が直列転送される。
【００３８】
つぎのステップ６０５では、表示器カウンタｉの値が１０番目の最後の棒状表示器Ｂ１０を示す「１０」になったか否かをチェックする。ここまでの説明ではｉ＝１なので、ステップ６１０に進み、表示器カウンタｉに１を加算する。この説明の流れではｉ＝２となる。
【００３９】
つぎのステップ６１１では、表示器カウンタｉの値が、飛び飛び制御変数で補正値が設定された８番目の棒状表示器Ｂ８を示す「８」になったか否かをチェックする。ｉ＝８でなければ、ステップ６１２にてｉ＝８＋１＝９になったか否かをチェックする。
【００４０】
ｉ＝８でもｉ＝９でもなければ、ステップ６１３に進み、アドレスポインタｊの値に６を加算する。この加算値６は、飛び飛び制御変数の「標準値：６」に決められた値である。そしてステップ６０４に戻り、６だけ増えたアドレスｊで画像メモリ３をリードアクセスし、読み出した列データＤｊを直列転送する。ここまでの説明では、列データＤ７が直列転送される。
【００４１】
以上のように、表示器カウンタｉをインクリメントしながら、ｉ＝８になるまでステップ６１０→６１１→６１２→６１３→６０４→６０５→６１０を７回繰り返して実行することになる。そうすると、中央制御装置２からは７列分の列データがＤ１→Ｄ７→Ｄ１３→Ｄ１９→Ｄ２５→Ｄ３１→Ｄ３７の順番で直列に出力される。
【００４２】
そして、ｉ＝８になると、ステップ６１１から６１４に進み、アドレスポインタｊの値に６＋２＝８を加算する。これは、飛び飛び制御変数の「補正値：Ｂ８＝＋２」との設定に従ったものである。そしてステップ６０４に戻るので、このときは列データＤ４５が読み出されて直列転送される（３７＋８＝４５）。
【００４３】
つぎにステップ６１０が実行されると、ｉ＝９となるので、ステップ６１１→６１２→６１５と進み、飛び飛び制御変数の「補正値：Ｂ８＝＋２」との設定に付帯した処理として、アドレスポインタｊの値に６−２＝４を加算する。そしてステップ６０４に戻るので、このときは列データＤ４９が読み出されて直列転送される（４５＋４＝４９）。つぎに表示器カウンタｉがインクリメントされると、ｉ＝１０となるので、再びステップ６１３が実行されてアドレスポインタｊの値が６だけ加算され、そしてステップ６０４で列データＤ５５が読み出されて直列転送される。
【００４４】
ｉ＝１０となったので、ステップ６０５でＹＥＳと判定されてステップ６２１に進み、各ドライブ回路ＤＳ１〜ＤＳ１０に対してラッチ信号を供給する。ここまでの説明では、１０列分の列データがＤ１→Ｄ７→Ｄ１３→Ｄ１９→Ｄ２５→Ｄ３１→Ｄ３７→Ｄ４５→Ｄ４９→Ｄ５５の順番で出力されており、これらが１０本の棒状表示器Ｂ１〜Ｂ１０のラッチ回路７にそれぞれラッチされ、同時に表示駆動される。つまり、つぎの対応関係で１０本の棒状表示器Ｂ１〜Ｂ１０が表示駆動される。
【００４５】
棒状表示器Ｂ１は列データＤ１で駆動される。
棒状表示器Ｂ２は列データＤ７（＝１＋６）で駆動される。
棒状表示器Ｂ３は列データＤ１３（＝７＋６）で駆動される。
棒状表示器Ｂ４は列データＤ１９（＝１３＋６）で駆動される。
棒状表示器Ｂ５は列データＤ２５（＝１９＋６）で駆動される。
棒状表示器Ｂ６は列データＤ３１（＝２５＋６）で駆動される。
棒状表示器Ｂ７は列データＤ３７（＝３１＋６）で駆動される。
棒状表示器Ｂ８は列データＤ４５（＝３７＋６＋２）で駆動される。
棒状表示器Ｂ９は列データＤ４９（＝４５＋６−２）で駆動される。
棒状表示器Ｂ１０は列データＤ５５（＝４９＋６）で駆動される。
【００４６】
つづくステップ６２２では、フレームアドレスｆの値に１を加算する。つぎのステップ６２３では、インクリメントしたｆの値が最終値Ｍａｘになったか否かをチェックする。ここまでの説明ではｆ＝２であり、この場合はステップ６０２に戻り、ｆの値をｊにコピーする（ｊ＝ｆ＝２となる）。そしてステップ６０３でｉ＝ｃに初期化して、前述した処理を実行する。したがって、つぎの対応関係で１０本の棒状表示器Ｂ１〜Ｂ１０にそれぞれ列データが分配されて、その列データＤｉに従って各棒状表示器Ｂｉが表示駆動される。
【００４７】
棒状表示器Ｂ１は列データＤ２で駆動される。
棒状表示器Ｂ２は列データＤ８（＝２＋６）で駆動される。
棒状表示器Ｂ３は列データＤ１４（＝８＋６）で駆動される。
棒状表示器Ｂ４は列データＤ２０（＝１４＋６）で駆動される。
棒状表示器Ｂ５は列データＤ２６（＝２０＋６）で駆動される。
棒状表示器Ｂ６は列データＤ３２（＝２６＋６）で駆動される。
棒状表示器Ｂ７は列データＤ３８（＝３２＋６）で駆動される。
棒状表示器Ｂ８は列データＤ４６（＝３８＋６＋２）で駆動される。
棒状表示器Ｂ９は列データＤ５０（＝４６＋６−２）で駆動される。
棒状表示器Ｂ１０は列データＤ５６（＝５０＋６）で駆動される。
【００４８】
以上の処理が高速に実行される。つまり、ビットマップ形式で作成されて画像メモリ３に格納されている全体の画像データの中からつぎに表示しようとする１フレームの５５列分の画像データがフレームアドレスｆに従って特定されて、その１フレームの５５列分の画像データの中から１０列分の画像データが飛び飛びに選択されて１０本の棒状表示器Ｂ１〜Ｂ１０に分配される。各棒状表示器Ｂｉでは、分配された１列分１６ドットの画像データＤｉに従って１６個の発光セルＣが所定のタイミングで制御駆動される。また、フレームアドレスｆが順番に更新されて、前記全体の画像データの中から特定されるフレームがスクロール方向に順番にシフトされる。その結果、図４に示すように、前記仮想的画面を観察する人の残像効果により、１列が１６ドットで１行が５５ドットの密度のスクロールする画像を視認されるのである。
【００４９】
画像をスクロールしていき、フレームアドレスｆが最終値Ｍａｘになったなら、ステップ６２３から最初のステップ６０１に戻り、フレームアドレスｆを１に初期化して前述の処理を繰り返す。なお、一連の画像を１回または複数回スクロール表示したならば、別のプロセスで画像メモリ３の表示対象エリアのビットマップデータを書き換えたり、表示対象エリアを別の画像のビットマップデータの記憶エリアに切り替えることで、次々と異なる画像をスクロール表示できる。
【００５０】
＝＝＝＝棒状表示器の配列と飛び飛び制御変数＝＝＝＝
図２の棒状表示器Ｂ１〜Ｂ１０の配列の仕方をすこし変えた例を図７に示している。図７においては、Ｂ１からＢ７までは６ドットの間隔で配列し、Ｂ７とＢ８のあいだは８ドット間隔である。これは図２と同じで、異なるのはＢ８とＢ９のあいだが標準の６ドット間隔になっている点である。Ｂ９とＢ１０のあいだは６ドット間隔だ。
【００５１】
図７のように、ある１本の棒状表示器Ｂ８が標準位置からずれて設置された場合に、その後に続く棒状表示器Ｂ９との間隔は標準の６ドットに戻すように設置方法を規定してもよい。この場合は、前述の仮想的画面のドット構成が２列分増えて、１６ドット×５７ドットとなる。この図７の実施例に対応した飛び飛び制御変数としては、前記と同様に「標準値：６」「補正値：Ｂ８＝＋２」という設定内容でよいが、データ分配制御のアルゴリズムは図６とはすこし変える必要がある。つまり図６のフローチャートにおいて、ステップ６１２とステップ６１５の処理をなくし、Ｂ８用に分配した列データより６列分あとの列データをＢ９用に分配する。
【００５２】
このように、棒状表示器の配列方法についての規則と、飛び飛び制御変数の決め方と、データ分配制御のアルゴリズムを適合させておくことで、さまざまな状況の現場に多数の棒状表示器を設置してこの発明を実施するに際し、各棒状表示器の間隔が必ずしも一定でなくても、表示される画像を歪ませることなく、画面全体にわたって正しい縦横比の画像を表示できるのである。
【００５３】
＝＝＝＝マン・マシン・インターフェース＝＝＝＝
図５の構成において、このシステムの中枢となる中央制御装置２は、一般的なパソコンに所要のハードウェアおよびソフトウェアを付加することで実現できる。ふつうのパソコンにはキーボードおよびディスプレイが備っているので、それを利用して飛び飛び制御変数を任意に設定するためのマン・マシン・インターフェースを構成すればよい。つまり、ディスプレイに飛び飛び制御変数の設定画面を表示し、その画面中に適宜な数値などをキーボード入力により記入する仕組みにすればよい。
【００５４】
パソコンのキーボート・ディスプレイのような高級なマン・マシン・インターフェース資源を持たない形で、専用機としての中央制御装置２を構成することも当然ある。その場合は、飛び飛び制御変数を任意に設定するために、いくつかのディジタルスイッチの類を設けておき、そのスイッチで適宜な数値などを設定する仕組みとする。
【００５５】
【発明の効果】
この発明のスクロール表示方法および装置によれば、つぎのような顕著な効果を奏する。
【００５６】
（ａ）少ない数の発光セルにより大サイズで精細な画像をスクロール表示できる。
【００５７】
（ｂ）表示サイズより少し大きな寸法の剛体の表示パネルという装置形態ではなくて、多数の棒状表示器を適当な間隔で並べるというフレキシブルな装置形態で大サイズのスクロール表示画面を容易に実現できる。
【００５８】
（ｃ）さまざまな状況の現場に多数の棒状表示器を設置してこの発明を実施するに際し、各棒状表示器の間隔が必ずしも一定でなくても、表示される画像を歪ませることなく、画面全体にわたって正しい縦横比の画像をスクロール表示できる。
【図面の簡単な説明】
【図１】この発明の一実施例による棒状表示器の配列により実現した物理的画面の模式図である。
【図２】同上物理的画面に対応して構成される仮想的画面の模式図である。
【図３】同上物理的画面と仮想的画面とスクロール表示しようとする画像データの関係を示す模式図である。
【図４】図３において画像がスクロールする様子を示した模式図である。
【図５】この発明の一実施例によるスクロール表示装置の概略構成図である。
【図６】同上実施例装置におけるデータ分配制御のアルゴリズムの一例を示すフローチャートである。
【図７】図２の棒状表示器の配列の仕方をすこし変えた画面構成の模式図である。
【符号の説明】
Ｃ  発光セル
Ｂ１〜Ｂ１０  棒状表示器
ＤＳ１〜ＤＳ１０  ドライブ回路
２  中央制御装置
３  画像メモリ
４  プロセッサ
５  シフトレジスタ
６  シフトレジスタ
７  ラッチ回路
８  ドライバ
【図１】
0003810124.tif 000002
【図２】
0003810124.tif 000003
【図３】
0003810124.tif 000004
【図４】
0003810124.tif 000005
【図５】
0003810124.tif 000006
【図６】
0003810124.tif 000007
【図７】
0003810124.tif 000008